(57)【要約】      （修正有）【課題】ワイヤレス通信の方法が、トランスポートブロックのサイズに応じて制御チャネル領域にトランスポートブロックを割り当てることを含む。【解決手段】ユーザ機器（ＵＥ）は、制御情報のための１つのサブフレーム８１２中の少なくとも２つの異なる制御領域を監視する。監視された制御領域は、時間的に重複しない。ＵＥは、２つの異なる制御領域のうちの少なくとも１つにおいて制御情報を含むサブフレームを受信する。【選択図】図８
2018050312.tif 000002
【特許請求の範囲】
【請求項１】
制御情報のための１つのサブフレームにおいて少なくとも２つの異なる制御領域を監視することであって、前記２つの制御領域が時間的に重複しない、監視することと、
前記２つの異なる制御領域のうちの少なくとも１つにおいて制御情報を含む前記サブフレームを受信することと
を備える、ワイヤレス通信の方法。
【請求項２】
監視することが、レガシー制御領域中の共通探索空間を監視することと、新しい制御領域においてＵＥ固有の探索空間を監視することとをさらに備える、請求項１に記載の方法。
【請求項３】
前記受信することは、どの制御領域に関してスケジューリング許可が受信されたかに少なくとも部分的に応じて異なる最大トランスポートブロックサイズをサポートする、請求項１に記載の方法。
【請求項４】
少なくとも１つのアグリゲーションレベルを用いて制御情報を監視することを前記制御領域のうちの１つに制限することをさらに備える、請求項１に記載の方法。
【請求項５】
前記監視することは、前記制御領域のうちの１つにおいて複数の復号仮説を監視することであって、前記複数の復号仮説は、前記ＵＥが１つのサブフレームにおいて監視する復号仮説の総数よりも少ない復号仮説を備える、監視することをさらに備える、請求項１に記載の方法。
【請求項６】
前記制御領域のうちの１つにおける前記複数の復号仮説が、アグリゲーションレベルに依存する数の復号仮説を備える、請求項５に記載の方法。
【請求項７】
前記制御領域のうちの１つにおける前記複数の復号仮説が、半静的に構成されたいくつかの復号仮説を備える、請求項５に記載の方法。
【請求項８】
受信機は、少なくとも１つの無線ネットワーク一時識別子（ＲＮＴＩ）値によってスクランブルされた巡回冗長検査（ＣＲＣ）を伴う制御情報を監視することを、前記制御領域のうちの１つに制限する、請求項１に記載の方法。
【請求項９】
トランスポートブロックサイズに基づいて受信機に制御情報を送信するために使用する制御領域を決定することと、
前記決定された制御領域において制御情報を送信することとを備える、ワイヤレス通信の方法。
【請求項１０】
前記決定することが、
ｅＰＤＣＣＨ復号時間、シンボル前処理時間、多入力多出力（ＭＩＭＯ）モード、送信ランク、およびユーザ機器（ＵＥ）干渉消去ファクタのうちの少なくとも１つに基づく、請求項９に記載の方法。
【請求項１１】
前記決定することは、前記制御情報が１つの受信機を対象とするのか、２つ以上の受信機を対象とするのかに基づく、請求項９に記載の方法。
【請求項１２】
前記決定することが、前記制御情報の巡回冗長検査（ＣＲＣ）をスクランブルするために使用される無線ネットワーク一時識別子（ＲＮＴＩ）値に基づく、請求項９に記載の方法。
【請求項１３】
前記決定された制御領域が複数のｅＰＤＣＣＨ領域および１つのＰＤＣＣＨのうちの１つである、請求項９に記載の方法。
【請求項１４】
前記決定された制御領域が複数のｅＰＤＣＣＨ領域および１つのＰＤＣＣＨのうちの少なくとも１つである、請求項９に記載の方法。
【請求項１５】
前記複数のｅＰＤＣＣＨ領域が、ｅＰＤＣＣＨの第１のスロットとｅＰＤＣＣＨの第２のスロットとを備える、請求項１４に記載の方法。
【請求項１６】
決定することがさらにアグリゲーションサイズに基づいている、請求項９に記載の方法。
【請求項１７】
メモリと、
前記メモリに結合された少なくとも１つのプロセッサであって、
制御情報のための１つのサブフレームにおいて少なくとも２つの異なる制御領域を監視することであって、前記２つの制御領域が時間的に重複しない、監視することと、
前記２つの異なる制御領域のうちの少なくとも１つにおいて制御情報を含む前記サブフレームを受信することと
を行うように構成された少なくとも１つのプロセッサと
を備える、ワイヤレス通信のための装置。
【請求項１８】
前記少なくとも１つのプロセッサが、レガシー制御領域の共通探索空間を監視することと、新しい制御領域においてＵＥ固有の探索空間を監視することとを行うように構成された、請求項１７に記載の装置。
【請求項１９】
前記少なくとも１つのプロセッサは、どの制御領域に関してスケジューリング許可が受信されたかに少なくとも部分的に応じて異なる最大トランスポートブロックサイズをサポートすることによって受信するように構成された、請求項１７に記載の装置。
【請求項２０】
前記少なくとも１つのプロセッサがさらに、少なくとも１つのアグリゲーションレベルを用いて制御情報を監視することを前記制御領域のうちの１つに制限するように構成された、請求項１７に記載の装置。
【請求項２１】
前記少なくとも１つのプロセッサが、前記制御領域のうちの１つにおいて複数の復号仮説を監視するように構成され、前記複数の復号仮説は、前記ＵＥが１つのサブフレームにおいて監視する復号仮説の総数よりも少ない復号仮説を備える、請求項１７に記載の装置。
【請求項２２】
前記制御領域のうちの１つにおける前記複数の復号仮説が、アグリゲーションレベルに依存する数の復号仮説を備える、請求項２１に記載の装置。
【請求項２３】
前記制御領域のうちの１つにおける前記複数の復号仮説が、半静的に構成されたいくつかの復号仮説を備える、請求項２１に記載の装置。
【請求項２４】
受信機は、少なくとも１つの無線ネットワーク一時識別子（ＲＮＴＩ）値によってスクランブルされた巡回冗長検査（ＣＲＣ）を伴う制御情報を監視することを、前記制御領域のうちの１つに制限する、請求項１７に記載の装置。
【請求項２５】
メモリと、
前記メモリに結合された少なくとも１つのプロセッサであって、
トランスポートブロックサイズに基づいて受信機に制御情報を送信するために使用する制御領域を決定することと、
前記決定された制御領域において制御情報を送信することと
を行うように構成された少なくとも１つのプロセッサと
を備える、ワイヤレス通信のための装置。
【請求項２６】
前記少なくとも１つのプロセッサが、
拡張物理ダウンリンク制御チャネル（ｅＰＤＤＣＨ）復号時間、シンボル前処理時間、多入力多出力（ＭＩＭＯ）モード、送信ランク、およびユーザ機器（ＵＥ）干渉消去ファクタのうちの少なくとも１つに基づいて決定するように構成された、請求項２５に記載の装置。
【請求項２７】
前記少なくとも１つのプロセッサは、前記制御情報が１つの受信機を対象とするのか、２つ以上の受信機を対象とするのかに基づいて決定するように構成された、請求項２５に記載の装置。
【請求項２８】
前記少なくとも１つのプロセッサが、前記制御情報の巡回冗長検査（ＣＲＣ）をスクランブルするために使用される無線ネットワーク一時識別子（ＲＮＴＩ）値に基づいて決定するように構成された、請求項２５に記載の装置。
【請求項２９】
前記決定された制御領域が複数のｅＰＤＣＣＨ領域および１つのＰＤＣＣＨのうちの１つである、請求項２５に記載の装置。
【請求項３０】
前記決定された制御領域が複数のｅＰＤＣＣＨ領域および１つのＰＤＣＣＨのうちの少なくとも１つである、請求項２５に記載の装置。
【請求項３１】
前記複数のｅＰＤＣＣＨ領域が、ｅＰＤＣＣＨの第１のスロットとｅＰＤＣＣＨの第２のスロットとを備える、請求項３０に記載の装置。
【請求項３２】
前記少なくとも１つのプロセッサが、アグリゲーションサイズに基づいて決定するように構成された、請求項２５に記載の装置。
【請求項３３】
ワイヤレスネットワークにおけるワイヤレス通信のためのコンピュータプログラム製品であって、
非一時的プログラムコードを記録した非一時的コンピュータ可読媒体を備え、前記プログラムコードが、
制御情報についてサブフレーム中の少なくとも２つの異なる制御領域を監視するためのプログラムコードであって、前記２つの制御領域が時間的に重複しない、プログラムコードと、
前記２つの異なる制御領域のうちの少なくとも１つにおいて制御情報を含む前記サブフレームを受信するためのプログラムコードと
を備える、コンピュータプログラム製品。
【請求項３４】
ワイヤレスネットワークにおけるワイヤレス通信のためのコンピュータプログラム製品であって、
非一時的プログラムコードを記録した非一時的コンピュータ可読媒体を備え、前記プログラムコードが、
トランスポートブロックサイズに基づいて受信機に制御情報を送信するために使用する制御領域を決定するためのプログラムコードと、
前記決定された制御領域において制御情報を送信するためのプログラムコードとを備える、コンピュータプログラム製品。
【請求項３５】
制御情報のための１つのサブフレームにおいて少なくとも２つの異なる制御領域を監視するための手段であって、前記２つの制御領域が時間的に重複しない、監視するための手段と、
前記２つの異なる制御領域のうちの少なくとも１つにおいて制御情報を含む前記サブフレームを受信するための手段と
を備える、ワイヤレス通信のための装置。
【請求項３６】
トランスポートブロックサイズに基づいて受信機に制御情報を送信するために使用する制御領域を決定するための手段と、
前記決定された制御領域において制御情報を送信するための手段とを備える、ワイヤレス通信のための装置。
【発明の詳細な説明】
【技術分野】
【０００１】
関連出願の相互参照
[0001]  本出願は、その開示全体が参照により本明細書に明確に組み込まれる、２０１１年１０月３日に出願された「ADAPTIVE CONTROL CHANNEL DESIGN FOR BALANCING DATA PAYLOAD SIZE AND DECODING TIME」と題する米国仮特許出願第６１／５４２，７６４号の米国特許法第１１９条（ｅ）項に基づく利益を主張する。
【０００２】
[0002]  本開示の態様は、一般にワイヤレス通信システムに関し、より詳細には、トランスポートブロック（transport block）のサイズに応じてトランスポートブロックを制御チャネル領域に割り当てることに関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力）を共有することによって複数のユーザとの通信をサポートすることが可能な多元接続技術を採用し得る。そのような多元接続技術の例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムがある。
【０００４】
[0004]  これらの多元接続技術は、異なるワイヤレスデバイスが都市、国家、地域、さらには地球規模で通信することを可能にする共通プロトコルを与えるために様々な電気通信規格において採用されている。新生の電気通信規格の一例はロングタームエボリューション（ＬＴＥ（登録商標）：Long Term Evolution）である。ＬＴＥは、第３世代パートナーシッププロジェクト（３ＧＰＰ（登録商標）：Third Generation Partnership Project）によって公表されたユニバーサルモバイル電気通信システム（ＵＭＴＳ：Universal Mobile Telecommunications System）モバイル規格の拡張のセットである。ＬＴＥは、スペクトル効率を改善することによってモバイルブロードバンドインターネットアクセスをより良くサポートし、コストを下げ、サービスを改善し、新しいスペクトルを利用し、また、ダウンリンク（ＤＬ）上ではＯＦＤＭＡを使用し、アップリンク（ＵＬ）上ではＳＣ−ＦＤＭＡを使用し、多入力多出力（ＭＩＭＯ）アンテナ技術を使用して他のオープン規格とより良く統合するように設計されている。しかしながら、モバイルブロードバンドアクセスに対する需要が増加し続けるにつれて、ＬＴＥ技術のさらなる改善が必要である。好ましくは、これらの改善は、他の多元接続技術と、これらの技術を採用する電気通信規格とに適用可能であるべきである。
【０００５】
[0005]  ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は了解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【発明の概要】
【０００６】
[0006]  一態様では、ワイヤレス通信の方法が開示される。本方法は、制御情報についてサブフレーム中の少なくとも２つの異なる制御領域を監視することであって、２つの制御領域が時間的に重複しない、監視することを含む。本方法はまた、２つの異なる制御領域のうちの少なくとも１つにおいて制御情報を含むサブフレームを受信することを含む。
【０００７】
[0007]  別の態様は、トランスポートブロックサイズに基づいて受信機に制御情報を送信するために使用する制御領域を決定することを含むワイヤレス通信の方法を開示する。本方法はまた、決定された制御領域において制御情報を送信することを含む。
【０００８】
[0008]  別の態様では、メモリと、メモリに結合された少なくとも１つのプロセッサとを有するワイヤレス通信が開示される。（１つまたは複数の）プロセッサは、制御情報についてサブフレーム中の少なくとも２つの異なる制御領域を監視するように構成される。２つの制御領域は時間的に重複しない。（１つまたは複数の）プロセッサはまた、２つの異なる制御領域のうちの少なくとも１つ中に制御情報を含むサブフレームを受信するように構成される。
【０００９】
[0009]  別の態様は、メモリと、メモリに結合された少なくとも１つのプロセッサとを有するワイヤレス通信を開示する。（１つまたは複数の）プロセッサは、トランスポートブロックサイズに基づいて受信機に制御情報を送信するために使用する制御領域を決定するように構成される。（１つまたは複数の）プロセッサはまた、決定された制御領域において制御情報を送信するように構成される。
【００１０】
[0010]  別の態様では、非一時的コンピュータ可読媒体を有するワイヤレスネットワークにおけるワイヤレス通信のためのコンピュータプログラム製品が開示される。コンピュータ可読媒体は、（１つまたは複数の）プロセッサによって実行されたとき、（１つまたは複数の）プロセッサに、制御情報についてサブフレーム中の少なくとも２つの異なる制御領域を監視する動作であって、２つの制御領域が時間的に重複しない、監視する動作を行わせる、非一時的プログラムコードを記録している。プログラムコードはまた、（１つまたは複数の）プロセッサに、２つの異なる制御領域のうちの少なくとも１つにおいて制御情報を含むサブフレームを受信させる。
【００１１】
[0011]  別の態様は、非一時的コンピュータ可読媒体を有するワイヤレスネットワークにおけるワイヤレス通信のためのコンピュータプログラム製品を開示する。コンピュータ可読媒体は、（１つまたは複数の）プロセッサによって実行されたとき、（１つまたは複数の）プロセッサに、トランスポートブロックサイズに基づいて受信機に制御情報を送信するために使用する制御領域を決定する動作を実行することを行わせる、非一時的プログラムコードを記録している。プログラムコードはまた、（１つまたは複数の）プロセッサに、決定された制御領域中で制御情報を送信させる。
【００１２】
[0012]  別の態様では、制御情報についてサブフレーム中の少なくとも２つの異なる制御領域を監視するための手段を含む装置が開示される。監視された制御領域は時間的に重複しない。また、２つの異なる制御領域のうちの少なくとも１つ中に制御情報を含むサブフレームを受信するための手段が含まれる。
【００１３】
[0013]  別の態様は、トランスポートブロックサイズに基づいて受信機に制御情報を送信するために使用する制御領域を決定するための手段を含む装置を開示する。また、決定された制御領域中で制御情報を送信するための手段が含まれる。
【００１４】
[0014]  以下で、本開示の追加の特徴および利点について説明する。本開示は、本開示の同じ目的を実行するための他の構造を変更または設計するための基礎として容易に利用され得ることを、当業者は了解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【００１５】
[0015]  本開示の特徴、特性、および利点は、全体を通じて同様の参照符号が同様のものを指す図面とともに、以下に記載する発明を実施するための形態を読めばより明らかになろう。
【図面の簡単な説明】
【００１６】
【図１】[0016]  ネットワークアーキテクチャの一例を示す図。
【図２】[0017]  アクセスネットワークの一例を示す図。
【図３】[0018]  ＬＴＥにおけるダウンリンクフレーム構造の一例を示す図。
【図４】[0019]  ＬＴＥにおけるアップリンクフレーム構造の一例を示す図。
【図５】[0020]  ユーザプレーンおよび制御プレーンのための無線プロトコルアーキテクチャの一例を示す図。
【図６】[0021]  アクセスネットワーク中の発展型ノードＢおよびユーザ機器の一例を示す図。
【図７】[0022]  拡張物理ダウンリンク制御チャネルの例を示す図。
【図８】[0023]  本開示の一態様による、リソース構成を示すブロック図。
【図９Ａ】[0024]  トランスポートブロックを制御チャネル領域に割り当てるための方法を示すブロック図。
【図９Ｂ】トランスポートブロックを制御チャネル領域に割り当てるための方法を示すブロック図。
【図１０】[0025]  例示的な装置中の異なるモジュール／手段／構成要素間のデータフローを示す概念データフロー図。
【図１１】例示的な装置中の異なるモジュール／手段／構成要素間のデータフローを示す概念データフロー図。
【図１２】[0026]  例示的な装置中の異なるモジュール／手段／構成要素を示すブロック図。
【図１３】例示的な装置中の異なるモジュール／手段／構成要素を示すブロック図。
【発明を実施するための形態】
【００１７】
[0027]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１８】
[0028]  様々な装置および方法に関して電気通信システムの態様を提示する。これらの装置および方法について、以下の発明を実施するための形態において説明し、（「要素（element）」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを使用して実装され得る。そのような要素をハードウェアとして実装するか、ソフトウェアとして実装するかは、特定の適用例および全体的なシステムに課された設計制約に依存する。
【００１９】
[0029]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。
【００２０】
[0030]  したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されるか、あるいはコンピュータ可読媒体上に１つまたは複数の命令またはコードとして符号化され得る。コンピュータ可読媒体はコンピュータ記憶媒体を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００２１】
[0031]  図１は、ＬＴＥネットワークアーキテクチャ１００を示す図である。ＬＴＥネットワークアーキテクチャ１００は発展型パケットシステム（ＥＰＳ：Evolved Packet System）１００と呼ばれることがある。ＥＰＳ１００は、１つまたは複数のユーザ機器（ＵＥ）１０２と、発展型ＵＭＴＳ地上無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは他のアクセスネットワークと相互接続することができるが、簡単のために、それらのエンティティ／インターフェースは図示していない。図示のように、ＥＰＳはパケット交換サービスを提供するが、当業者なら容易に了解するように、本開示全体にわたって提示する様々な概念は、回線交換サービスを提供するネットワークに拡張され得る。
【００２２】
[0032]  Ｅ−ＵＴＲＡＮは、発展型ノードＢ（ｅノードＢ）１０６と他のｅノードＢ１０８とを含む。ｅノードＢ１０６は、ＵＥ１０２に対してユーザプレーンプロトコル終端と制御プレーンプロトコル終端とを与える。ｅノードＢ１０６は、バックホール（たとえば、Ｘ２インターフェース）を介して他のｅノードＢ１０８に接続され得る。ｅノードＢ１０６は、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅノードＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００２３】
[0033]  ｅノードＢ１０６は、たとえば、Ｓ１インターフェースを介して、ＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割当てならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含み得る。
【００２４】
[0034]  図２は、ＬＴＥネットワークアーキテクチャにおけるアクセスネットワーク２００の一例を示す図である。この例では、アクセスネットワーク２００は、いくつかのセルラー領域（セル）２０２に分割される。１つまたは複数のより低い電力クラスのｅノードＢ２０８は、セル２０２のうちの１つまたは複数と重複するセルラー領域２１０を有し得る。より低い電力クラスのｅノードＢ２０８は、リモートラジオヘッド（ＲＲＨ：remote radio head）、フェムトセル（たとえば、ホームｅノードＢ（ＨｅＮｏｄｅＢ：home eNodeB））、ピコセル、またはマイクロセルであり得る。マクロｅノードＢ２０４は各々、それぞれのセル２０２に割り当てられ、セル２０２中のすべてのＵＥ２０６にＥＰＣ１１０へのアクセスポイントを与えるように構成される。アクセスネットワーク２００のこの例には集中コントローラはないが、代替構成では集中コントローラが使用され得る。ｅノードＢ２０４は、無線ベアラ制御、承認制御（admission control）、モビリティ制御、スケジューリング、セキュリティ、およびサービングゲートウェイ１１６への接続性を含む、すべての無線関係機能を担当する。
【００２５】
[0035]  アクセスネットワーク２００によって採用される変調および多元接続方式は、展開されている特定の電気通信規格に応じて異なり得る。ＬＴＥ適用例では、周波数分割複信（ＦＤＤ：frequency division duplexing）と時分割複信（ＴＤＤ：time division duplexing）の両方をサポートするために、ＯＦＤＭがダウンリンク上で使用され、ＳＣ−ＦＤＭＡがアップリンク上で使用される。当業者なら以下の詳細な説明から容易に了解するように、本明細書で提示する様々な概念は、ＬＴＥ適用例に好適である。ただし、これらの概念は、他の変調および多元接続技法を採用する他の電気通信規格に容易に拡張され得る。例として、これらの概念は、エボリューションデータオプティマイズド（ＥＶ−ＤＯ：Evolution-Data Optimized）またはウルトラモバイルブロードバンド（ＵＭＢ：Ultra Mobile Broadband）に拡張され得る。ＥＶ−ＤＯおよびＵＭＢは、ＣＤＭＡ２０００（登録商標）規格ファミリーの一部として第３世代パートナーシッププロジェクト２（３ＧＰＰ２：3rd Generation Partnership Project 2）によって公表されたエアインターフェース規格であり、ＣＤＭＡを利用して移動局にブロードバンドインターネットアクセスを提供する。これらの概念はまた、広帯域ＣＤＭＡ（Ｗ−ＣＤＭＡ（登録商標））とＴＤ−ＳＣＤＭＡなどのＣＤＭＡの他の変形態とを採用するユニバーサル地上波無線アクセス（ＵＴＲＡ：Universal Terrestrial Radio Access）、ＴＤＭＡを採用するモバイル通信用グローバルシステム（ＧＳＭ（登録商標）：Global System for Mobile Communications）、ならびに、ＯＦＤＭＡを採用する、Ｅｖｏｌｖｅｄ  ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、およびＦｌａｓｈ−ＯＦＤＭに拡張され得る。ＵＴＲＡ、Ｅ−ＵＴＲＡ、ＵＭＴＳ、ＬＴＥおよびＧＳＭは、３ＧＰＰ団体からの文書に記載されている。ＣＤＭＡ２０００およびＵＭＢは、３ＧＰＰ２団体からの文書に記載されている。採用される実際のワイヤレス通信規格および多元接続技術は、特定の適用例およびシステムに課された全体的な設計制約に依存することになる。
【００２６】
[0036]  ｅノードＢ２０４は、ＭＩＭＯ技術をサポートする複数のアンテナを有し得る。ＭＩＭＯ技術の使用により、ｅノードＢ２０４は、空間多重化、ビームフォーミング、および送信ダイバーシティをサポートするために空間領域を活用することが可能になる。空間多重化は、データの異なるストリームを同じ周波数上で同時に送信するために使用され得る。データストリームは、データレートを増加させるために単一のＵＥ２０６に送信されるか、または全体的なシステム容量を増加させるために複数のＵＥ２０６に送信され得る。これは、各データストリームを空間的にプリコーディングし（すなわち、振幅および位相のスケーリングを適用し）、次いでダウンリンク上で複数の送信アンテナを通して空間的にプリコーディングされた各ストリームを送信することによって達成される。空間的にプリコーディングされたデータストリームは、異なる空間シグナチャとともに（１つまたは複数の）ＵＥ２０６に到着し、これにより、（１つまたは複数の）ＵＥ２０６の各々がそのＵＥ２０６に宛てられた１つまたは複数のデータストリームを復元することが可能になる。アップリンク上で、各ＵＥ２０６は、空間的にプリコーディングされたデータストリームを送信し、これにより、ｅノードＢ２０４は、空間的にプリコーディングされた各データストリームのソースを識別することが可能になる。
【００２７】
[0037]  空間多重化は、概して、チャネル状態が良好であるときに使用される。チャネル状態があまり良好でないときは、送信エネルギーを１つまたは複数の方向に集中させるためにビームフォーミングが使用され得る。これは、複数のアンテナを通して送信するためのデータを空間的にプリコーディングすることによって達成され得る。セルのエッジにおいて良好なカバレージを達成するために、送信ダイバーシティと組み合わせてシングルストリームビームフォーミング送信が使用され得る。
【００２８】
[0038]  以下の詳細な説明では、ダウンリンク上でＯＦＤＭをサポートするＭＩＭＯシステムを参照しながらアクセスネットワークの様々な態様について説明する。ＯＦＤＭは、ＯＦＤＭシンボル内のいくつかのサブキャリアを介してデータを変調するスペクトル拡散技法である。サブキャリアは正確な周波数で離間する。離間は、受信機がサブキャリアからデータを復元することを可能にする「直交性（orthogonality）」を与える。時間領域では、ＯＦＤＭシンボル間干渉をなくすために、ガードインターバル（たとえば、サイクリックプレフィックス）が各ＯＦＤＭシンボルに追加され得る。アップリンクは、高いピーク対平均電力比（ＰＡＰＲ：peak-to-average power ratio）を補償するために、ＳＣ−ＦＤＭＡをＤＦＴ拡散ＯＦＤＭ信号の形態で使用し得る。
【００２９】
[0039]  図３は、ＬＴＥにおけるダウンリンクフレーム構造の一例を示す図３００である。フレーム（１０ｍｓ）は、等しいサイズの１０個のサブフレームに分割され得る。各サブフレームは、２つの連続するタイムスロットを含み得る。２つのタイムスロットを表すためにリソースグリッドが使用され得、各タイムスロットはリソースブロックを含む。リソースグリッドは複数のリソース要素に分割される。ＬＴＥでは、リソースブロックは、周波数領域中に１２個の連続サブキャリアを含んでおり、各ＯＦＤＭシンボル中のノーマルサイクリックプレフィックスについて、時間領域中に７個の連続ＯＦＤＭシンボル、または８４個のリソース要素を含んでいる。拡張サイクリックプレフィックスについて、リソースブロックは、時間領域中に６個の連続ＯＦＤＭシンボルを含んでおり、７２個のリソース要素を有する。Ｒ３０２、３０４として示されるリソース要素のいくつかはダウンリンク基準信号（ＤＬ−ＲＳ：downlink reference signal）を含む。ＤＬ−ＲＳは、（共通ＲＳと呼ばれることもある）セル固有ＲＳ（ＣＲＳ：Cell-specific RS）３０２と、ＵＥ固有ＲＳ（ＵＥ−ＲＳ：UE-specific RS）３０４とを含む。ＵＥ−ＲＳ３０４は、対応する物理ダウンリンク共有チャネル（ＰＤＳＣＨ：physical downlink shared channel）がマッピングされるリソースブロック上でのみ送信される。各リソース要素によって搬送されるビット数は変調方式に依存する。したがって、ＵＥが受信するリソースブロックが多いほど、また変調方式が高いほど、ＵＥのデータレートは高くなる。
【００３０】
[0040]  図４は、ＬＴＥにおけるアップリンクフレーム構造の一例を示す図４００である。アップリンクのために利用可能なリソースブロックは、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。アップリンクフレーム構造は、データセクション中の連続するサブキャリアのすべてを単一のＵＥに割り当てることを可能にし得る連続サブキャリアを含むデータセクションを生じる。
【００３１】
[0041]  ＵＥには、ｅノードＢに制御情報を送信するために、制御セクション中のリソースブロック４１０ａ、４１０ｂが割り当てられ得る。ＵＥには、ｅノードＢにデータを送信するために、データセクション中のリソースブロック４２０ａ、４２０ｂも割り当てられ得る。ＵＥは、制御セクション中の割り当てられたリソースブロック上の物理アップリンク制御チャネル（ＰＵＣＣＨ：physical uplink control channel）中で制御情報を送信し得る。ＵＥは、データセクション中の割り当てられたリソースブロック上の物理アップリンク共有チャネル（ＰＵＳＣＨ：physical uplink shared channel）中でデータのみまたはデータと制御情報の両方を送信し得る。アップリンク送信は、サブフレームの両方のスロットにわたり得、周波数上でホッピングし得る。
【００３２】
[0042]  初期システムアクセスを実行し、物理ランダムアクセスチャネル（ＰＲＡＣＨ：physical random access channel）４３０中でアップリンク同期を達成するためにリソースブロックのセットが使用され得る。ＰＲＡＣＨ４３０は、ランダムシーケンスを搬送し、いかなるアップリンクデータ／シグナリングをも搬送することができない。各ランダムアクセスプリアンブルは、６つの連続するリソースブロックに対応する帯域幅を占有する。開始周波数はネットワークによって指定される。すなわち、ランダムアクセスプリアンブルの送信は、ある時間リソースおよび周波数リソースに制限される。周波数ホッピングはＰＲＡＣＨにはない。ＰＲＡＣＨ試みは単一のサブフレーム（１ｍｓ）中でまたは少数の連続サブフレームのシーケンス中で搬送され、ＵＥは、フレーム（１０ｍｓ）ごとに単一のＰＲＡＣＨ試みだけを行うことができる。
【００３３】
[0043]  図５は、ＬＴＥにおけるユーザプレーンおよび制御プレーンのための無線プロトコルアーキテクチャの一例を示す図５００である。ＵＥおよびｅノードＢのための無線プロトコルアーキテクチャは、レイヤ１と、レイヤ２と、レイヤ３との３つのレイヤとともに示されている。レイヤ１（Ｌ１レイヤ）は最下位レイヤであり、様々な物理レイヤ信号処理機能を実装する。Ｌ１レイヤを本明細書では物理レイヤ５０６と呼ぶ。レイヤ２（Ｌ２レイヤ）５０８は、物理レイヤ５０６の上にあり、物理レイヤ５０６を介したＵＥとｅノードＢとの間のリンクを担当する。
【００３４】
[0044]  ユーザプレーンでは、Ｌ２レイヤ５０８は、ネットワーク側のｅノードＢにおいて終端される、媒体アクセス制御（ＭＡＣ：media access control）サブレイヤ５１０と、無線リンク制御（ＲＬＣ：radio link control）サブレイヤ５１２と、パケットデータコンバージェンスプロトコル（ＰＤＣＰ：packet data convergence protocol）５１４サブレイヤとを含む。図示されていないが、ＵＥは、ネットワーク側のＰＤＮゲートウェイ１１８において終端されるネットワークレイヤ（たとえば、ＩＰレイヤ）と、接続の他端（たとえば、ファーエンドＵＥ、サーバなど）において終端されるアプリケーションレイヤとを含めてＬ２レイヤ５０８の上にいくつかの上位レイヤを有し得る。
【００３５】
[0045]  ＰＤＣＰサブレイヤ５１４は、異なる無線ベアラと論理チャネルとの間で多重化を行う。ＰＤＣＰサブレイヤ５１４はまた、無線送信オーバーヘッドを低減するための上位レイヤデータパケットのヘッダ圧縮と、データパケットを暗号化することによるセキュリティと、ｅノードＢ間のＵＥに対するハンドオーバサポートとを行う。ＲＬＣサブレイヤ５１２は、上位レイヤデータパケットのセグメンテーションおよび再統合と、消失データパケットの再送信と、ハイブリッド自動再送要求（ＨＡＲＱ：hybrid automatic repeat request）による、順序が狂った受信を補正するデータパケットの並べ替えとを行う。ＭＡＣサブレイヤ５１０は、論理チャネルとトランスポートチャネルとの間の多重化を行う。ＭＡＣサブレイヤ５１０はまた、ＵＥの間で１つのセル内の様々な無線リソース（たとえば、リソースブロック）を割り当てることを担当する。ＭＡＣサブレイヤ５１０はまたＨＡＲＱ動作を担当する。
【００３６】
[0046]  制御プレーンでは、ＵＥおよびｅノードＢのための無線プロトコルアーキテクチャは、制御プレーンのためのヘッダ圧縮機能がないことを除いて、物理レイヤ５０６およびＬ２レイヤ５０８について実質的に同じである。制御プレーンはまた、レイヤ３（Ｌ３レイヤ）中に無線リソース制御（ＲＲＣ：radio resource control）サブレイヤ５１６を含む。ＲＲＣサブレイヤ５１６は、無線リソース（すなわち、無線ベアラ）を取得することと、ｅノードＢとＵＥとの間のＲＲＣシグナリングを使用して下位レイヤを構成することとを担当する。
【００３７】
[0047]  図６は、アクセスネットワーク中でＵＥ６５０と通信しているｅノードＢ６１０のブロック図である。ダウンリンクでは、コアネットワークからの上位レイヤパケットが、コントローラ／プロセッサ６７５に与えられる。コントローラ／プロセッサ６７５は、Ｌ２レイヤの機能を実装する。ダウンリンクでは、コントローラ／プロセッサ６７５は、様々な優先度メトリックに基づいてヘッダ圧縮と、暗号化と、パケットのセグメント化および並べ替えと、論理チャネルとトランスポートチャネルとの間の多重化と、ＵＥ６５０への無線リソース割当てとを行う。コントローラ／プロセッサ６７５はまた、ＨＡＲＱ動作と、消失パケットの再送信と、ＵＥ６５０へのシグナリングとを担当する。
【００３８】
[0048]  ＴＸプロセッサ６１６は、Ｌ１レイヤ（すなわち、物理レイヤ）のための様々な信号処理機能を実装する。信号処理機能は、ＵＥ６５０における前方誤り訂正（ＦＥＣ：forward error correction）と、様々な変調方式（たとえば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、多値直交振幅変調（Ｍ−ＱＡＭ：M-quadrature amplitude modulation））に基づいた信号コンスタレーションへのマッピングとを可能にするために、コーディングとインターリービングとを含む。次いで、符号化され変調されたシンボルは並列ストリームに分割される。各ストリームは、次いでＯＦＤＭサブキャリアにマッピングされ、時間領域および／または周波数領域中で基準信号（たとえば、パイロット）と多重化され、次いで逆高速フーリエ変換（ＩＦＦＴ：Inverse Fast Fourier Transform）を使用して互いに合成されて、時間領域ＯＦＤＭシンボルストリームを搬送する物理チャネルを生成する。ＯＦＤＭストリームは、複数の空間ストリームを生成するために空間的にプリコーディングされる。チャネル推定器６７４からのチャネル推定値は、符号化および変調方式を決定するために、ならびに空間処理のために使用され得る。チャネル推定値は、ＵＥ６５０によって送信される基準信号および／またはチャネル状態フィードバックから導出され得る。次いで、各空間ストリームは、別個の送信機６１８ＴＸを介して異なるアンテナ６２０に与えられる。各送信機６１８ＴＸは、送信のためにそれぞれの空間ストリームでＲＦキャリアを変調する。
【００３９】
[0049]  ＵＥ６５０において、各受信機６５４ＲＸは、それのそれぞれのアンテナ６５２を通して信号を受信する。各受信機６５４ＲＸは、ＲＦキャリア上に変調された情報を復元し、受信機（ＲＸ）プロセッサ６５６に情報を与える。ＲＸプロセッサ６５６は、Ｌ１レイヤの様々な信号処理機能を実装する。ＲＸプロセッサ６５６は、ＵＥ６５０に宛てられた任意の空間ストリームを復元するために、情報に対して空間処理を実行する。複数の空間ストリームがＵＥ６５０に宛てられた場合、それらはＲＸプロセッサ６５６によって単一のＯＦＤＭシンボルストリームに合成され得る。ＲＸプロセッサ６５６は、次いで高速フーリエ変換（ＦＦＴ：Fast Fourier Transform）を使用してＯＦＤＭシンボルストリームを時間領域から周波数領域に変換する。周波数領域信号は、ＯＦＤＭ信号のサブキャリアごとに別々のＯＦＤＭシンボルストリームを備える。各サブキャリア上のシンボルと基準信号とは、ｅノードＢ６１０によって送信される、可能性が最も高い信号のコンスタレーションポイントを判断することによって復元され、復調される。これらの軟判定は、チャネル推定器６５８によって計算されるチャネル推定値に基づき得る。軟判定は、次いで、物理チャネル上でｅノードＢ６１０によって最初に送信されたデータおよび制御信号を復元するために復号され、デインターリーブされる。データおよび制御信号は、次いでコントローラ／プロセッサ６５９に与えられる。
【００４０】
[0050]  コントローラ／プロセッサ６５９はＬ２レイヤを実装する。コントローラ／プロセッサ６５９は、プログラムコードとデータとを記憶するメモリ６６０に関連し得る。メモリ６６０はコンピュータ可読媒体と呼ばれることがある。アップリンクでは、コントローラ／プロセッサ６５９は、コアネットワークからの上位レイヤパケットを復元するために、トランスポートチャネルと論理チャネルとの間の多重分離と、パケットリアセンブリと、復号（deciphering）と、ヘッダ復元（decompression）と、制御信号処理とを行う。上位レイヤパケットは、次いで、Ｌ２レイヤの上のすべてのプロトコルレイヤを表すデータシンク６６２に与えられる。また、様々な制御信号がＬ３処理のためにデータシンク６６２に与えられ得る。コントローラ／プロセッサ６５９はまた、ＨＡＲＱ動作をサポートするために肯定応答（ＡＣＫ）および／または否定応答（ＮＡＣＫ）プロトコルを使用した誤り検出を担当する。
【００４１】
[0051]  アップリンクでは、データソース６６７は、コントローラ／プロセッサ６５９に上位レイヤパケットを与えるために使用される。データソース６６７は、Ｌ２レイヤの上のすべてのプロトコルレイヤを表す。ｅノードＢ６１０によるダウンリンク送信に関して説明した機能と同様に、コントローラ／プロセッサ６５９は、ヘッダ圧縮と、暗号化と、パケットのセグメント化および並べ替えと、ｅノードＢ６１０による無線リソース割当てに基づいた論理チャネルとトランスポートチャネルとの間の多重化とを行うことによって、ユーザプレーンおよび制御プレーンのためのＬ２レイヤを実装する。コントローラ／プロセッサ６５９はまた、ＨＡＲＱ動作と、消失パケットの再送信と、ｅノードＢ６１０へのシグナリングとを担当する。
【００４２】
[0052]  ｅノードＢ６１０によって送信される基準信号またはフィードバックからの、チャネル推定器６５８によって導出されるチャネル推定値は、適切な符号化および変調方式を選択することと、空間処理を可能にすることとを行うために、ＴＸプロセッサ６６８によって使用され得る。ＴＸプロセッサ６６８によって生成される空間ストリームは、別個の送信機６５４ＴＸを介して異なるアンテナ６５２に与えられる。各送信機６５４ＴＸは、送信のためにそれぞれの空間ストリームでＲＦキャリアを変調する。
【００４３】
[0053]  アップリンク送信は、ＵＥ６５０における受信機機能に関して説明した方法と同様の方法でｅノードＢ６１０において処理される。各受信機６１８ＲＸは、それのそれぞれのアンテナ６２０を通して信号を受信する。各受信機６１８ＲＸは、ＲＦキャリア上で変調された情報を復元し、ＲＸプロセッサ６７０に情報を与える。ＲＸプロセッサ６７０はＬ１レイヤを実装し得る。
【００４４】
[0054]  コントローラ／プロセッサ６７５はＬ２レイヤを実装する。コントローラ／プロセッサ６７５は、プログラムコードとデータとを記憶するメモリ６７６に関連し得る。メモリ６７６はコンピュータ可読媒体と呼ばれることがある。アップリンクでは、コントローラ／プロセッサ６７５は、ＵＥ６５０からの上位レイヤパケットを復元するために、トランスポートチャネルと論理チャネルとの間の多重分離と、パケットリアセンブリと、復号と、ヘッダ復元と、制御信号処理とを行う。コントローラ／プロセッサ６７５からの上位レイヤパケットはコアネットワークに与えられ得る。コントローラ／プロセッサ６７５はまた、ＨＡＲＱ動作をサポートするためにＡＣＫおよび／またはＮＡＣＫプロトコルを使用した誤り検出を担当する。
【００４５】
データペイロードサイズと復号時間とを平衡させるための適応制御チャネル設計
[0055]  ＬＴＥリリース８、９、および１０では、物理ダウンリンク制御チャネル（ＰＤＣＣＨ）は、サブフレーム中の最初のいくつかのシンボル（たとえば、１つ、２つ、３つ、または４つ）内に位置し、システム帯域幅全体にわたって完全に分散される。さらに、物理ダウンリンク制御チャネルは、ＰＤＳＣＨなどの共有制御チャネルと時間領域多重化（ＴＤＭ）され、それによりサブフレームを制御領域とデータ領域とに効果的に分割する。
【００４６】
[0056]  リリース１１では、多地点協調送信（coordinated multipoint transmission）（ＣｏＭＰ）方式がサポートされる。この特徴は、全体的な通信性能を改善するための干渉緩和技法を与える。ＣｏＭＰの場合、複数の基地局（たとえば、ｅノードＢ１１０）が、１つまたは複数のＵＥに／からダウンリンク上でデータを送信および／またはアップリンク上で受信するために共同する。ダウンリンクＣｏＭＰとアップリンクＣｏＭＰとは、ＵＥに対して別々にまたは一緒に使用可能にされ得る。ＣｏＭＰ方式のいくつかの例について、以下のように説明する。（ダウンリンクＣｏＭＰを対象とする）ジョイント送信では、複数のｅノードＢが、１つのＵＥのための同じデータを送信する。（アップリンクＣｏＭＰを対象とする）ジョイント受信では、複数のｅノードＢが、１つのＵＥのための同じデータを受信する。協調ビームフォーミングでは、ｅノードＢは、それのＵＥに、近隣セル中のＵＥへの干渉を低減するために選定されたビームを使用して送信する。動的ポイント選択では、データ送信に関与する（１つまたは複数の）セルはサブフレームごとに変わり得る。ＣｏＭＰは、同種ネットワークおよび／または異種ネットワーク（ＨｅｔＮｅｔ）中に存在し得る。ＣｏＭＰに関与するノード間の接続はＸ２またはファイバーであり得る。異種ネットワークＣｏＭＰでは、低電力ノードはリモートラジオヘッド（ＲＲＨ：remote radio heads）を含み得る。
【００４７】
[0057]  従来の物理ダウンリンク制御チャネルは、多地点協調（ＣｏＭＰ）シナリオのための十分な制御容量を含まない。特に、マクロｅノードＢと接続されたリモートラジオヘッド（ＲＲＨ）とが同じセル識別情報を使用するが、潜在的に異なるデータを協調的に送信するとき、ＣｏＭＰシナリオ４が行われる。
【００４８】
[0058]  拡張物理ダウンリンク制御チャネル（ｅＰＤＤＣＨ：enhanced physical downlink control channel）が、ダウンリンクカバレージ拡張のための制御リンク性能を改善し得、また、拡張キャリアのための制御チャネル解決策を与え得る。拡張キャリアは、レガシー制御領域を指定しないことがある非スタンドアロンキャリアである。
【００４９】
[0059]  物理ダウンリンク制御チャネル拡張技法は、新しい制御領域を使用すること、効率利得をビームフォーミングとリンクすること、リソースを温存するために高次変調を使用すること、および複数ユーザ多入力多出力（ＭＵ−ＭＩＭＯ：multiple user-multiple input multiple output）多重化を含むことを、当業者は了解されよう。
【００５０】
[0060]  ＬＴＥリリース１１は、拡張物理ダウンリンク制御チャネル、ならびに拡張ＰＣＦＩＣＨ（ｅＰＣＦＩＣＨ）および拡張ＰＨＩＣＨ（ｅＰＨＩＣＨ）など、他のチャネルを含む。サブフレーム中の最初のいくつかの制御シンボルを占有する従来のＰＤＣＣＨ（たとえば、レガシーＰＤＣＣＨ）とは対照的に、拡張物理ダウンリンク制御チャネルは、ＰＤＳＣＨと同様にサブフレームのデータ領域を占有する。拡張物理ダウンリンク制御チャネルは、制御チャネル容量を増加させ、周波数領域セル間干渉協調（ＩＣＩＣ：inter-cell interference coordination）をサポートし、制御チャネルリソースの空間再利用を改善し、ビームフォーミングおよび／またはダイバーシティをサポートし、新しいキャリアタイプ上で、およびＭＢＳＦＮサブフレームにおいて動作し得る。さらに、拡張物理ダウンリンク制御チャネルは、レガシーＵＥと同じキャリア上に共存し得る。
【００５１】
[0061]  図７に、様々な拡張物理ダウンリンク制御チャネル構造（Ａｌｔ１〜Ａｌｔ５）を示す。たとえば、場合によっては、拡張物理ダウンリンク制御チャネル構造は、Ｒ−ＰＤＣＣＨ構造と同じであり得る（Ａｌｔ１）。代替的に、拡張物理ダウンリンク制御チャネルは、データ領域と周波数分割多重化（ＦＤＭ）され得る（Ａｌｔ２）。その上、代替構造では、拡張物理ダウンリンク制御チャネル構造は、データ領域と時分割多重化（ＴＤＭ）され得る（Ａｌｔ３）。代替的に、拡張物理ダウンリンク制御チャネルは、Ｒ−ＰＤＣＣＨと類似するが、同じではないことがある（Ａｌｔ４）。別の代替構造では、拡張物理ダウンリンク制御チャネルは、ＴＤＭとＦＤＭとを組み合わせ得る（Ａｌｔ５）。たとえば、ダウンリンク許可はデータ領域と時分割多重化され得、アップリンク許可はデータ領域と周波数分割多重化され得る。
【００５２】
[0062]  本開示は、他の信号の存在下で拡張物理ダウンリンク制御チャネルをマッピングするための態様を与える。他の信号は、共通基準信号（ＣＲＳ）、レガシー制御領域、ＰＳＳ／ＳＳＳ、ＰＢＣＨ、ＰＲＳ（測位基準信号）、チャネル状態情報基準信号（ＣＳＩ−ＲＳ：channel state information reference signal）、および／または復調基準信号（ＤＭ−ＲＳ：demodulation reference signal）を潜在的に含み得る。
【００５３】
[0063]  図８に、本開示の一態様による、リソース構成を示すブロック図を示す。ブロックは、データサブフレーム８１０と制御サブフレーム８１２とを含む。制御サブフレーム８１２は２つのスロット８１４および８１６を備え、各スロット８１４および８１６はリソース要素を含む。すなわち、各スロットは、時間領域では７つのＯＦＤＭシンボルを含み、周波数領域では１２個のサブキャリアを含み、各スロットは、リソースブロック（ＲＢ）としてグループ化され得るリソース要素を備える。制御サブフレーム８１２のスロット内で、前に説明したように、レガシー制御領域（ＰＤＣＣＨ）は、最初の１つ、２つ、または３つのＯＦＤＭシンボルに割り当てられる。場合によっては、１．４ＭＨｚ帯域幅など、レガシー制御領域は、最初の４つのＯＦＤＭシンボルに割り当てられる。本開示の一態様によれば、新しい制御領域（ｅＰＤＣＣＨ）は、レガシー制御領域、ＣＲＳ、またはＤＭ−ＲＳによって割り当てられない１つまたは複数のスロットのリソース要素に割り当てられる。
【００５４】
[0064]  図８に示すように、一態様によれば、レガシー制御領域は、制御サブフレーム８１２の最初の３つのＯＦＤＭシンボルに割り当てられる。さらに、第１のスロット８１４および第２のスロット８１６のリソース要素のいくつかは、ＣＲＳおよびＤＭ−ＲＳに割り当てられる。最後に、新しい制御領域は、第１のスロット８１４の残りのリソース要素に割り当てられ、また、第２のスロット８１６の残りのリソース要素に割り当てられる。残りのリソース要素は、レガシー制御領域、ＣＲＳ、またはＤＭ−ＲＳに割り当てられないリソース要素を指す。
【００５５】
[0065]  図８は、新しい制御領域が第１および第２のスロットの残りのリソース要素のすべてを占有することを示すが、本開示は、新しい制御領域がサブフレームの残りのリソース要素のすべてを占有することに限定されない。詳細には、新しい制御領域は、第１のスロットおよび／または第２のスロットの残りのリソース要素の一部または全部に割り当てられ得る。さらに、本開示の態様は、新しい制御領域が１つまたは２つのスロットのリソース要素を占有することを提供するが、新しい制御領域は、他のサイズに分割され得、サブフレームの２つのスロットに限定されない。
【００５６】
[0066]  ＬＴＥリリース８、９、および１０では、ＵＥ肯定応答（ＡＣＫ）のためのターンアラウンドタイムは４ｍｓである。たとえば、ＰＤＣＣＨおよびＰＤＳＣＨがサブフレームｎ中でＵＥに送信された場合、ＵＥはサブフレームｎ＋４中で肯定または否定ＡＣＫを送信し得る。一態様によれば、新しい制御領域のための復号時間は低減される。たとえば、復号時間は２．５〜３ｍｓに低減され得る。特に、新しい制御領域が第１のスロットの占有されていないリソース要素のみを占有する場合、復号時間は約３ｍｓに低減される。さらに、新しい制御領域が第２のスロットの占有されていないリソース要素を占有するか、または第１および第２のスロットの占有されていないリソース要素を占有する場合、復号時間はほぼ２．５〜３ｍｓに低減される。
【００５７】
[0067]  従来のシステムでは、低減された復号時間は、復調バックエンドハードウェアの再設計によってのみ利用可能であることを留意されたい。したがって、本開示の態様は、ハードウェア変更なしに低減された復号時間を提供する。
【００５８】
[0068]  一態様では、最大トランスポートブロックサイズ（ＴＢＳ：maximum transport block size）は、利用可能な復号時間に応じて限定される。たとえば、レガシー制御領域の場合、最大トランスポートブロックサイズ（Ｍａｘ＿ＴＢＳ）は次のように表され得る。
【００５９】
[0069]  
【数１】
2018050312.tif 000003
【００６０】
[0070]  新しい制御領域の場合、新しい制御領域が第１のスロットのみのリソース要素を占有するとき、最大トランスポートブロックサイズは次のように表され得る。
【００６１】
[0071]  
【数２】
2018050312.tif 000004
【００６２】
[0072]  さらに、新しい制御領域の場合、新しい制御領域が第１のスロットと第２のスロットのリソース要素を占有するとき、最大トランスポートブロックサイズは次のように表され得る。
【００６３】
[0073]  
【数３】
2018050312.tif 000005
【００６４】
[0074]  式１、２、および３では、Ｃmaxは、ＵＥカテゴリーによって可能にされる最大トランスポートブロックサイズである。パラメータｘおよびｙは選定されたパラメータであり、ｘとｙの両方が１よりも大きいかまたはそれに等しい。パラメータｘおよびｙは、新しい制御領域復号時間、シンボル前処理時間、ＭＩＭＯモード、送信ランク、またはＵＥ干渉消去の使用など、様々なファクタに基づいて選択され得る。
【００６５】
[0075]  最大トランスポートサイズは、どのスロットが使用され得るかを指定するが、その指定は排他的ではない。たとえば、最大トランスポートサイズが新しい制御領域のために第２のスロットを指定する場合でも、トランスポートブロックは第１のスロットまたはレガシー制御領域に割り当てられることがある。同様に、新しい制御領域のために第１のスロットが指定された場合でも、トランスポートブロックはレガシー制御領域に割り当てられることがある。
【００６６】
[0076]  場合によっては、最高２つのトランスポートブロック（ＴＢ）が多入力多出力（ＭＩＭＯ）システム中で使用され得る。したがって、合成ＭＩＭＯトランスポートブロックサイズが考慮され得る。代替的に、ＭＩＭＯトランスポートブロックを割り当てるときに、トランスポートブロックサイズは異なるＣmaxと比較され得る。
【００６７】
[0077]  一態様では、共通探索空間制御メッセージ（common search space control message）はレガシー制御領域中で送信され得る。レガシーＵＥがネットワーク中に存在し得るので、レガシー制御領域は、すべてまたは大部分のサブフレームのために指定される。レガシー制御領域と新しい制御領域とは、同じサブフレーム中に存在し得る。さらに、新しい制御領域がサブフレームのために指定されるとき、レガシーサブフレームに割り当てられるＯＦＤＭシンボルの数は、新しい制御領域で占有されるＯＦＤＭシンボルの数と比較して低減され得る。占有されるＯＦＤＭシンボルの数は、制御オフロード（control off-load）により低減される。
【００６８】
[0078]  ＵＥは、レガシー制御領域または新しい制御領域のいずれか中のＵＥ固有の探索空間を監視するように半静的（semi-statically）に構成され得る。ＵＥはまた、レガシー制御領域と新しい制御領域の両方を監視するように要求され得る。制御は、トランスポートブロックのサイズに基づいて送られ得る。さらに、大きいトランスポートブロックのために指定された復号時間が、小さいトランスポートブロックのために指定された復号時間よりも大きいことがある。
【００６９】
[0079]  場合によっては、ＵＥによって実行されるブラインド復号の数を増加させないように、ＵＥ固有探索空間は、レガシー制御領域または新しい制御領域のいずれか中にあり得る。共通探索空間はレガシー制御領域中のままになる。
【００７０】
[0080]  別の態様では、探索空間は、アグリゲーションサイズに基づいて分割され得る。たとえば、アグリゲーションレベルが１であるとき、ＵＥは、最初にレガシー制御領域中の２つの復号仮説（decoding hypothesis）（すなわち復号候補）を監視し、次いで、新しい制御領域中の４つの復号仮説を監視し得る。さらに、アグリゲーションレベルが２であるとき、ＵＥは最初にレガシー制御領域中の２つの復号仮説（すなわち復号候補）を監視し、次いで、新しい制御領域中の４つの復号仮説を監視することができる。さらに、アグリゲーションレベルが４であるとき、ＵＥは最初にレガシー制御領域中の１つの復号仮説を監視し、次いで、新しい制御領域中の１つの復号仮説を監視することができる。その上、アグリゲーションレベルが８であるとき、ＵＥはレガシー制御領域を監視するにすぎないことがある。復号仮説（復号候補）のアグリゲーションレベル依存分割は、標準で指定されるかまたはＵＥのために半静的に構成され得る。依然として、共通探索空間（たとえば、ブロードキャストＳＩＢ（システム情報ブロック：system information blocks））は、レガシー制御領域中のままであり得る。
【００７１】
[0081]  本開示の態様によれば、Ｅ−ＰＤＣＣＨ持続時間に応じて最大トランスポートブロックサイズ（ＴＢＳ：maximum transport block size）を限定することによって、既存の復調ハードウェアが再利用され得る。さらに、小さいトランスポートブロックサイズについて、復号時間は低減され、したがって、新しい制御領域が指定され得る。大きいトランスポートブロックサイズの場合、セル容量によって表される限定によりほんのいくつかのＵＥがスケジュールされるので、制御情報はレガシー制御領域中に指定され得る。
【００７２】
[0082]  場合によっては、カバレージ拡張目的のために新しい制御領域がビームフォーミングとともに使用されるとき、信号対雑音比（ＳＮＲ）は適度である。したがって、最大トランスポートブロックサイズは、おのずと限定され得る。したがって、復号時間は低減され得、新しい制御領域の使用が実行可能である。
【００７３】
[0083]  図９Ａに、制御領域を監視するための方法９０１を示す。ブロック９１０において、ＵＥ（ユーザ機器）は、制御情報についてサブフレーム中の少なくとも２つの異なる制御領域を監視する。制御領域は時間的に重複しない。ブロック９１２において、ＵＥは、２つの異なる制御領域のうちの少なくとも１つ中に制御情報を含むサブフレームを受信する。
【００７４】
[0084]  図９Ｂに、トランスポートブロックサイズを限定するための方法９０２を示す。ブロック９２０において、ｅノードＢは、トランスポートブロックサイズに基づいて受信機に制御情報を送信するために使用する制御領域を決定する。ブロック９２２において、ｅノードＢは、決定された制御領域中で制御情報を送信する。
【００７５】
[0085]  一構成では、ｅノードＢ６１０は、決定するための手段を含むワイヤレス通信のために構成される。一態様では、決定手段は、決定手段によって具陳される機能を実行するように構成されたコントローラ／プロセッサ６７５およびメモリ６７６であり得る。ｅノードＢ６１０はまた、送信するための手段を含むように構成される。一態様では、送信手段は、送信手段によって具陳される機能を実行するように構成された送信プロセッサ６１６、変調器６１８およびアンテナ６２０であり得る。別の態様では、上述の手段は、上述の手段によって具陳された機能を実行するように構成された任意のモジュールまたは任意の装置であり得る。
【００７６】
[0086]  一構成では、ＵＥ６５０は、監視するための手段を含むワイヤレス通信のために構成される。一態様では、監視手段は、監視手段によって具陳される機能を実行するように構成されたコントローラ／プロセッサ６５９、受信プロセッサ６５６、変調器６５４、およびアンテナ６５２であり得る。ＵＥ６５０はまた、受信するための手段を含むように構成される。一態様では、受信手段は、受信手段によって具陳される機能を実行するように構成されたコントローラ／プロセッサ６５９、受信プロセッサ６５６、変調器６５４、およびアンテナ６５２であり得る。別の態様では、上述の手段は、上述の手段によって具陳された機能を実行するように構成された任意のモジュールまたは任意の装置であり得る。
【００７７】
[0087]  図１０は、例示的な装置１０００中の異なるモジュール／手段／構成要素間のデータフローを示す概念データフロー図である。装置１０００は、制御情報についてサブフレーム中の少なくとも２つの異なる制御領域を監視する監視モジュール１００２を含む。監視モジュール１００２は、受信モジュール１００６を介して受信されるサブフレームの制御領域を監視する。受信モジュール１００６は、信号１０１０上のサブフレームを受信する。さらに、受信モジュール１００６はまた、２つの異なる制御領域のうちの少なくとも１つ中に制御情報を含むサブフレームを受信し得る。本装置は、上述のフローチャート図９Ａおよび図９Ｂ中のアルゴリズムのステップの各々を実行する追加のモジュールを含み得る。したがって、上述のフローチャート図９Ａおよび図９Ｂ中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７８】
[0088]  図１１は、例示的な装置１１００中の異なるモジュール／手段／構成要素間のデータフローを示す概念データフロー図である。装置１１００は、トランスポートブロックサイズに基づいて受信機に制御情報を送信するために使用する制御領域を決定する決定モジュール１１０２を含む。決定モジュール１１０２は、次いで、決定された制御領域中で制御情報を送信するように送信モジュール１１０８を制御し得る。その制御情報は、送信モジュール１１０８によって送信された信号１１１２を介して送信され得る。本装置は、上述のフローチャート図９Ａおよび図９Ｂ中のアルゴリズムのステップの各々を実行する追加のモジュールを含み得る。したがって、上述のフローチャート図９Ａおよび図９Ｂ中の各ステップは１つのモジュールによって実行され得、本装置は、それらのモジュールのうちの１つまたは複数を含み得る。それらのモジュールは、述べられたプロセス／アルゴリズムを行うように特に構成された１つまたは複数のハードウェア構成要素であるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００７９】
[0089]  図１２は、処理システム１２１４を採用する装置１２００のためのハードウェア実装形態の一例を示す図である。処理システム１２１４は、バス１２２４によって概略的に表されるバスアーキテクチャを用いて実装され得る。バス１２２４は、処理システム１２１４の特定の適用例および全体的な設計制約に応じて、任意の数の相互接続バスおよびブリッジを含み得る。バス１２２４は、プロセッサ１２２２によって表される１つまたは複数のプロセッサおよび／またはハードウェアモジュールと、モジュール１２０２、１２０４、１２０６と、コンピュータ可読媒体１２２６とを含む様々な回路を互いにリンクする。バス１２２４はまた、タイミングソース、周辺機器、電圧調整器、および電力管理回路など、様々な他の回路をリンクし得るが、これらの回路は当技術分野においてよく知られており、したがって、これ以上説明しない。
【００８０】
[0090]  本装置は、トランシーバ１２３０に結合された処理システム１２１４を含む。トランシーバ１２３０は、１つまたは複数のアンテナ１２２０に結合される。トランシーバ１２３０は、伝送媒体を介して様々な他の装置と通信することを可能にする。処理システム１２１４は、コンピュータ可読媒体１２２６に結合されたプロセッサ１２２２を含む。プロセッサ１２２２は、コンピュータ可読媒体１２２６に記憶されたソフトウェアの実行を含む一般的な処理を担当する。ソフトウェアは、プロセッサ１２２２によって実行されたとき、処理システム１２１４に、いずれかの特定の装置について説明する様々な機能を実行させる。コンピュータ可読媒体１２２６はまた、ソフトウェアを実行するときにプロセッサ１２２２によって操作されるデータを記憶するために使用され得る。
【００８１】
[0091]  処理システム１２１４は、制御情報についてサブフレーム中の少なくとも２つの異なる制御領域を監視するための監視モジュール１２０２を含む。処理システム１２１４はまた、２つの異なる制御領域のうちの少なくとも１つ中に制御情報を含むサブフレームを受信するための受信モジュール１２０４を含む。それらのモジュールは、プロセッサ１２２２中で動作し、コンピュータ可読媒体１２２６中に常駐する／記憶された、ソフトウェアモジュールであるか、プロセッサ１２２２に結合された１つまたは複数のハードウェアモジュールであるか、またはそれらの何らかの組合せであり得る。処理システム１２１４は、ＵＥ６５０の構成要素であり得、メモリ６６０および／またはコントローラ／プロセッサ６５９を含み得る。
【００８２】
[0092]  図１３は、処理システム１３１４を採用する装置１３００のためのハードウェア実装形態の一例を示す図である。処理システム１３１４は、バス１３２４によって概略的に表されるバスアーキテクチャを用いて実装され得る。バス１３２４は、処理システム１３１４の特定の適用例および全体的な設計制約に応じて、任意の数の相互接続バスおよびブリッジを含み得る。バス１３２４は、プロセッサ１３２２によって表される１つまたは複数のプロセッサおよび／またはハードウェアモジュールと、モジュール１３０２、１３０４、１３０６と、コンピュータ可読媒体１３２６とを含む様々な回路を互いにリンクする。バス１３２４はまた、タイミングソース、周辺機器、電圧調整器、および電力管理回路など、様々な他の回路をリンクし得るが、これらの回路は当技術分野においてよく知られており、したがって、これ以上説明しない。
【００８３】
[0093]  本装置は、トランシーバ１３３０に結合された処理システム１３１４を含む。トランシーバ１３３０は、１つまたは複数のアンテナ１３２０に結合される。トランシーバ１３３０は、伝送媒体を介して様々な他の装置と通信することを可能にする。処理システム１３１４は、コンピュータ可読媒体１３２６に結合されたプロセッサ１３２２を含む。プロセッサ１３２２は、コンピュータ可読媒体１３２６に記憶されたソフトウェアの実行を含む一般的な処理を担当する。ソフトウェアは、プロセッサ１３２２によって実行されたとき、処理システム１３１４に、いずれかの特定の装置について説明する様々な機能を実行させる。コンピュータ可読媒体１３２６はまた、ソフトウェアを実行するときにプロセッサ１３２２によって操作されるデータを記憶するために使用され得る。
【００８４】
[0094]  処理システム１３１４は、トランスポートブロックサイズに基づいて受信機に制御情報を送信するために使用する制御領域を決定するための決定モジュール１３０２を含む。処理システム１３１４はまた、決定された制御領域中で制御情報を送信するための送信モジュール１３０４を含む。それらのモジュールは、プロセッサ１３２２中で動作し、コンピュータ可読媒体１３２６中に常駐する／記憶された、ソフトウェアモジュールであるか、プロセッサ１３２２に結合された１つまたは複数のハードウェアモジュールであるか、またはそれらの何らかの組合せであり得る。処理システム１３１４は、ｅノードＢ６１０の構成要素であり得、メモリ６７６および／またはコントローラ／プロセッサ６７５を含み得る。
【００８５】
[0095]  さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は了解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００８６】
[0096]  本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８７】
[0097]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００８８】
[0098]  １つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（disc）、光ディスク（disc）、デジタル多用途ディスク（disc）（ＤＶＤ）、フロッピーディスク（disk）およびｂｌｕ−ｒａｙディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【００８９】
[0099]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2018050312.tif 000006
【図２】
2018050312.tif 000007
【図３】
2018050312.tif 000008
【図４】
2018050312.tif 000009
【図５】
2018050312.tif 000010
【図６】
2018050312.tif 000011
【図７】
2018050312.tif 000012
【図８】
2018050312.tif 000013
【図９Ａ】
2018050312.tif 000014
【図９Ｂ】
2018050312.tif 000015
【図１０】
2018050312.tif 000016
【図１１】
2018050312.tif 000017
【図１２】
2018050312.tif 000018
【図１３】
2018050312.tif 000019
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
トランスポートブロックサイズに基づいて受信機に制御情報を送信するために使用する制御領域を決定することと、
前記決定された制御領域において制御情報を送信することと
を備える、ワイヤレス通信の方法。
【請求項２】
前記決定することが、
ｅＰＤＣＣＨ復号時間、シンボル前処理時間、多入力多出力（ＭＩＭＯ）モード、送信ランク、およびユーザ機器（ＵＥ）干渉消去ファクタのうちの少なくとも１つに基づく、請求項１に記載の方法。
【請求項３】
前記決定することは、前記制御情報が１つの受信機を対象とするのか、２つ以上の受信機を対象とするのかに基づく、請求項１に記載の方法。
【請求項４】
前記決定することが、前記制御情報の巡回冗長検査（ＣＲＣ）をスクランブルするために使用される無線ネットワーク一時識別子（ＲＮＴＩ）値に基づく、請求項１に記載の方法。
【請求項５】
前記決定された制御領域が複数のｅＰＤＣＣＨ領域および１つのＰＤＣＣＨのうちの１つである、請求項１に記載の方法。
【請求項６】
前記決定された制御領域が複数のｅＰＤＣＣＨ領域および１つのＰＤＣＣＨのうちの少なくとも１つである、請求項１に記載の方法。
【請求項７】
前記複数のｅＰＤＣＣＨ領域が、ｅＰＤＣＣＨの第１のスロットとｅＰＤＣＣＨの第２のスロットとを備える、請求項６に記載の方法。
【請求項８】
決定することがさらにアグリゲーションサイズに基づいている、請求項１に記載の方法。
【請求項９】
メモリと、
前記メモリに結合された少なくとも１つのプロセッサであって、
トランスポートブロックサイズに基づいて受信機に制御情報を送信するために使用する制御領域を決定することと、
前記決定された制御領域において制御情報を送信することと
を行うように構成された少なくとも１つのプロセッサと
を備える、ワイヤレス通信のための装置。
【請求項１０】
前記少なくとも１つのプロセッサが、
拡張物理ダウンリンク制御チャネル（ｅＰＤＤＣＨ）復号時間、シンボル前処理時間、多入力多出力（ＭＩＭＯ）モード、送信ランク、およびユーザ機器（ＵＥ）干渉消去ファクタのうちの少なくとも１つに基づいて決定するように構成された、請求項９に記載の装置。
【請求項１１】
前記少なくとも１つのプロセッサは、前記制御情報が１つの受信機を対象とするのか、２つ以上の受信機を対象とするのかに基づいて決定するように構成された、請求項９に記載の装置。
【請求項１２】
前記少なくとも１つのプロセッサが、前記制御情報の巡回冗長検査（ＣＲＣ）をスクランブルするために使用される無線ネットワーク一時識別子（ＲＮＴＩ）値に基づいて決定するように構成された、請求項９に記載の装置。
【請求項１３】
前記決定された制御領域が複数のｅＰＤＣＣＨ領域および１つのＰＤＣＣＨのうちの１つである、請求項９に記載の装置。
【請求項１４】
前記決定された制御領域が複数のｅＰＤＣＣＨ領域および１つのＰＤＣＣＨのうちの少なくとも１つである、請求項９に記載の装置。
【請求項１５】
前記複数のｅＰＤＣＣＨ領域が、ｅＰＤＣＣＨの第１のスロットとｅＰＤＣＣＨの第２のスロットとを備える、請求項１４に記載の装置。
【請求項１６】
前記少なくとも１つのプロセッサが、アグリゲーションサイズに基づいて決定するように構成された、請求項９に記載の装置。
【請求項１７】
ワイヤレスネットワークにおけるワイヤレス通信のためのコンピュータプログラムであって、
非一時的プログラムコードを記録した非一時的コンピュータ可読媒体を備え、前記プログラムコードが、
トランスポートブロックサイズに基づいて受信機に制御情報を送信するために使用する制御領域を決定するためのプログラムコードと、
前記決定された制御領域において制御情報を送信するためのプログラムコードと
を備える、コンピュータプログラム。
【請求項１８】
トランスポートブロックサイズに基づいて受信機に制御情報を送信するために使用する制御領域を決定するための手段と、
前記決定された制御領域において制御情報を送信するための手段と
を備える、ワイヤレス通信のための装置。
【手続補正２】
【補正対象書類名】明細書
【補正対象項目名】００８９
【補正方法】変更
【補正の内容】
【００８９】
[0099]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
制御情報のための１つのサブフレームにおいて少なくとも２つの異なる制御領域を監視することであって、前記２つの制御領域が時間的に重複しない、監視することと、
前記２つの異なる制御領域のうちの少なくとも１つにおいて制御情報を含む前記サブフレームを受信することと
を備える、ワイヤレス通信の方法。
［Ｃ２］
監視することが、レガシー制御領域中の共通探索空間を監視することと、新しい制御領域においてＵＥ固有の探索空間を監視することとをさらに備える、Ｃ１に記載の方法。
［Ｃ３］
前記受信することは、どの制御領域に関してスケジューリング許可が受信されたかに少なくとも部分的に応じて異なる最大トランスポートブロックサイズをサポートする、Ｃ１に記載の方法。
［Ｃ４］
少なくとも１つのアグリゲーションレベルを用いて制御情報を監視することを前記制御領域のうちの１つに制限することをさらに備える、Ｃ１に記載の方法。
［Ｃ５］
前記監視することは、前記制御領域のうちの１つにおいて複数の復号仮説を監視することであって、前記複数の復号仮説は、前記ＵＥが１つのサブフレームにおいて監視する復号仮説の総数よりも少ない復号仮説を備える、監視することをさらに備える、Ｃ１に記載の方法。
［Ｃ６］
前記制御領域のうちの１つにおける前記複数の復号仮説が、アグリゲーションレベルに依存する数の復号仮説を備える、Ｃ５に記載の方法。
［Ｃ７］
前記制御領域のうちの１つにおける前記複数の復号仮説が、半静的に構成されたいくつかの復号仮説を備える、Ｃ５に記載の方法。
［Ｃ８］
受信機は、少なくとも１つの無線ネットワーク一時識別子（ＲＮＴＩ）値によってスクランブルされた巡回冗長検査（ＣＲＣ）を伴う制御情報を監視することを、前記制御領域のうちの１つに制限する、Ｃ１に記載の方法。
［Ｃ９］
トランスポートブロックサイズに基づいて受信機に制御情報を送信するために使用する制御領域を決定することと、
前記決定された制御領域において制御情報を送信することと
を備える、ワイヤレス通信の方法。
［Ｃ１０］
前記決定することが、
ｅＰＤＣＣＨ復号時間、シンボル前処理時間、多入力多出力（ＭＩＭＯ）モード、送信ランク、およびユーザ機器（ＵＥ）干渉消去ファクタ
のうちの少なくとも１つに基づく、Ｃ９に記載の方法。
［Ｃ１１］
前記決定することは、前記制御情報が１つの受信機を対象とするのか、２つ以上の受信機を対象とするのかに基づく、Ｃ９に記載の方法。
［Ｃ１２］
前記決定することが、前記制御情報の巡回冗長検査（ＣＲＣ）をスクランブルするために使用される無線ネットワーク一時識別子（ＲＮＴＩ）値に基づく、Ｃ９に記載の方法。
［Ｃ１３］
前記決定された制御領域が複数のｅＰＤＣＣＨ領域および１つのＰＤＣＣＨのうちの１つである、Ｃ９に記載の方法。
［Ｃ１４］
前記決定された制御領域が複数のｅＰＤＣＣＨ領域および１つのＰＤＣＣＨのうちの少なくとも１つである、Ｃ９に記載の方法。
［Ｃ１５］
前記複数のｅＰＤＣＣＨ領域が、ｅＰＤＣＣＨの第１のスロットとｅＰＤＣＣＨの第２のスロットとを備える、Ｃ１４に記載の方法。
［Ｃ１６］
決定することがさらにアグリゲーションサイズに基づいている、Ｃ９に記載の方法。
［Ｃ１７］
メモリと、
前記メモリに結合された少なくとも１つのプロセッサであって、
制御情報のための１つのサブフレームにおいて少なくとも２つの異なる制御領域を監視することであって、前記２つの制御領域が時間的に重複しない、監視することと、
前記２つの異なる制御領域のうちの少なくとも１つにおいて制御情報を含む前記サブフレームを受信することと
を行うように構成された少なくとも１つのプロセッサと
を備える、ワイヤレス通信のための装置。
［Ｃ１８］
前記少なくとも１つのプロセッサが、レガシー制御領域の共通探索空間を監視することと、新しい制御領域においてＵＥ固有の探索空間を監視することとを行うように構成された、Ｃ１７に記載の装置。
［Ｃ１９］
前記少なくとも１つのプロセッサは、どの制御領域に関してスケジューリング許可が受信されたかに少なくとも部分的に応じて異なる最大トランスポートブロックサイズをサポートすることによって受信するように構成された、Ｃ１７に記載の装置。
［Ｃ２０］
前記少なくとも１つのプロセッサがさらに、少なくとも１つのアグリゲーションレベルを用いて制御情報を監視することを前記制御領域のうちの１つに制限するように構成された、Ｃ１７に記載の装置。
［Ｃ２１］
前記少なくとも１つのプロセッサが、前記制御領域のうちの１つにおいて複数の復号仮説を監視するように構成され、前記複数の復号仮説は、前記ＵＥが１つのサブフレームにおいて監視する復号仮説の総数よりも少ない復号仮説を備える、Ｃ１７に記載の装置。
［Ｃ２２］
前記制御領域のうちの１つにおける前記複数の復号仮説が、アグリゲーションレベルに依存する数の復号仮説を備える、Ｃ２１に記載の装置。
［Ｃ２３］
前記制御領域のうちの１つにおける前記複数の復号仮説が、半静的に構成されたいくつかの復号仮説を備える、Ｃ２１に記載の装置。
［Ｃ２４］
受信機は、少なくとも１つの無線ネットワーク一時識別子（ＲＮＴＩ）値によってスクランブルされた巡回冗長検査（ＣＲＣ）を伴う制御情報を監視することを、前記制御領域のうちの１つに制限する、Ｃ１７に記載の装置。
［Ｃ２５］
メモリと、
前記メモリに結合された少なくとも１つのプロセッサであって、
トランスポートブロックサイズに基づいて受信機に制御情報を送信するために使用する制御領域を決定することと、
前記決定された制御領域において制御情報を送信することと
を行うように構成された少なくとも１つのプロセッサと
を備える、ワイヤレス通信のための装置。
［Ｃ２６］
前記少なくとも１つのプロセッサが、
拡張物理ダウンリンク制御チャネル（ｅＰＤＤＣＨ）復号時間、シンボル前処理時間、多入力多出力（ＭＩＭＯ）モード、送信ランク、およびユーザ機器（ＵＥ）干渉消去ファクタ
のうちの少なくとも１つに基づいて決定するように構成された、Ｃ２５に記載の装置。
［Ｃ２７］
前記少なくとも１つのプロセッサは、前記制御情報が１つの受信機を対象とするのか、２つ以上の受信機を対象とするのかに基づいて決定するように構成された、Ｃ２５に記載の装置。
［Ｃ２８］
前記少なくとも１つのプロセッサが、前記制御情報の巡回冗長検査（ＣＲＣ）をスクランブルするために使用される無線ネットワーク一時識別子（ＲＮＴＩ）値に基づいて決定するように構成された、Ｃ２５に記載の装置。
［Ｃ２９］
前記決定された制御領域が複数のｅＰＤＣＣＨ領域および１つのＰＤＣＣＨのうちの１つである、Ｃ２５に記載の装置。
［Ｃ３０］
前記決定された制御領域が複数のｅＰＤＣＣＨ領域および１つのＰＤＣＣＨのうちの少なくとも１つである、Ｃ２５に記載の装置。
［Ｃ３１］
前記複数のｅＰＤＣＣＨ領域が、ｅＰＤＣＣＨの第１のスロットとｅＰＤＣＣＨの第２のスロットとを備える、Ｃ３０に記載の装置。
［Ｃ３２］
前記少なくとも１つのプロセッサが、アグリゲーションサイズに基づいて決定するように構成された、Ｃ２５に記載の装置。
［Ｃ３３］
ワイヤレスネットワークにおけるワイヤレス通信のためのコンピュータプログラム製品であって、
非一時的プログラムコードを記録した非一時的コンピュータ可読媒体を備え、前記プログラムコードが、
制御情報についてサブフレーム中の少なくとも２つの異なる制御領域を監視するためのプログラムコードであって、前記２つの制御領域が時間的に重複しない、プログラムコードと、
前記２つの異なる制御領域のうちの少なくとも１つにおいて制御情報を含む前記サブフレームを受信するためのプログラムコードと
を備える、コンピュータプログラム製品。
［Ｃ３４］
ワイヤレスネットワークにおけるワイヤレス通信のためのコンピュータプログラム製品であって、
非一時的プログラムコードを記録した非一時的コンピュータ可読媒体を備え、前記プログラムコードが、
トランスポートブロックサイズに基づいて受信機に制御情報を送信するために使用する制御領域を決定するためのプログラムコードと、
前記決定された制御領域において制御情報を送信するためのプログラムコードと
を備える、コンピュータプログラム製品。
［Ｃ３５］
制御情報のための１つのサブフレームにおいて少なくとも２つの異なる制御領域を監視するための手段であって、前記２つの制御領域が時間的に重複しない、監視するための手段と、
前記２つの異なる制御領域のうちの少なくとも１つにおいて制御情報を含む前記サブフレームを受信するための手段と
を備える、ワイヤレス通信のための装置。
［Ｃ３６］
トランスポートブロックサイズに基づいて受信機に制御情報を送信するために使用する制御領域を決定するための手段と、
前記決定された制御領域において制御情報を送信するための手段と
を備える、ワイヤレス通信のための装置。
【外国語明細書】
2018050312000001.pdf